(57)【要約】【課題】トラバースホルダの共振防止機構を備えるディスク装置を提供する。【解決手段】トラバースホルダ２に形成されるボス２１の周囲に、第１の突起部２ａを形成し、スライドカム３には、第１の突起部２ａに対応した箇所に第２の突起部３ａを位置決め・形成を行う。ディスクキャッチング位置において生じるトラバースホルダ２とスライドカム３との間隙を、第１の突起部２ａと第２の突起部３ａが当接することで、埋めることができ、これによりスライドカム３の振動を抑制し、トラバースホルダの共振を防ぐこことができる。【選択図】図３
2008112548.tif 000002
【特許請求の範囲】
【請求項１】
ディスクを再生するためにディスクを載置するターンテーブルと、該ターンテーブルに載置されるディスクを回転させるモータと、前記ディスクの読込・記録を行うピックアップレンズとからなるトラバースユニットと、
前記トラバースユニットを保持し、少なくとも１つ以上のボスを有するトラバースホルダと、
前記ボスを挿通し摺動させるための挿通孔を有する、前記トラバースホルダを上下に昇降させるためのスライドカムと、
ディスクを所定の位置に搬入出させるためのディスクトレイと、
前記ターンテーブルに載置されたディスクを固定するためのクランパと、
前記クランパを支持する支持板を有し、ディスク装置の外形を形成するフレームと、
からなるディスク装置であって、
前記トラバースホルダに第１の突起部を形成し、前記スライドカムに第２の突起部を形成し、ディスクが前記ターンテーブルに載置され、前記クランパにより挟持させるために前記トラバースホルダを上昇させた際の前記トラバースホルダ及び前記スライドカムの位置において、前記第１の突起部と前記第２の突起部は、お互いが当接するよう位置決めされたことを特徴とするトラバースホルダの共振防止機構を備えるディスク装置。
【請求項２】
前記第１の突起部は、前記ボスの中心から前記ボスの半径の１．５倍の範囲内に形成されることを特徴とする請求項１記載のトラバースホルダの共振防止機構を備えるディスク装置。
【請求項３】
前記ボスが２つ形成される前記トラバースホルダを有する前記ディスク装置であって、前記第１の突起部は、前記ボスの直径の２倍の幅を有し、更に前記ボスの中心から前記ボスの直径と等しい距離分外側に離間する点を通り、且つ前記ボスの中心を通る中心線を有する長方形の範囲内に形成されることを特徴とする請求項１に記載のトラバースホルダの共振防止機構を備えるディスク装置。
【発明の詳細な説明】
【技術分野】
【０００１】
本発明は、載置されたディスクをターンテーブル及びクランパによりキャッチングした際、ディスクの再生等のための回転に伴うトラバースホルダの共振を防止するトラバースホルダ共振防止機構を備えるディスク装置に関する。
【背景技術】
【０００２】
従来から用いられるＣＤやＤＶＤのような記録媒体たるディスクの再生装置では、ディスクの記録や再生の際、ディスクの回転によってフレームの振動が発生し、ピックアップ部からディスクに向けて照射されるレーザの照射位置にズレが生じ、また、振動による騒音が発生するといった不具合が生じている。この振動を防止するために種々の方法が開示されている。
【０００３】
例えば特許文献１では、上下に昇降するトラバースホルダの側面に、昇降動作時にガタが発生しないようトラバースホルダに突起部を形成し、フレームにガイドリブを形成し、突起部がガイドリブに沿って摺動させ、これによりガイドリブの幅以上にトラバースホルダが前後することはなく、トラバースホルダがディスク搬入出方向へガタ付くことを防止する構造が開示されている。
【０００４】
また、図１２は従来から用いられているトラバースホルダ２００及びスライドカム３００を示しており、この図が示すように、トラバースホルダ２００とスライドカム３００の間には間隙が形成されており、この間隙によりスライドカムにガタ付きが発生する。
【０００５】
【特許文献１】特開２００６−１５５７８４号公報
【発明の開示】
【発明が解決しようとする課題】
【０００６】
しかしながら、特許文献１の方法では、トラバースホルダ自身のガタ付きの抑制は可能だが、上記のようなトラバースホルダとスライドカムとの間に間隙は解消されておらず、この間隙により、スライドカムにガタ付きが発生し、結果このガタ付きによりトラバースホルダが共振してしまうという問題点があった。
【０００７】
本発明は上記課題を鑑みてなされたものであり、ディスクキャッチング位置においてトラバースホルダ及びスライドカムの共振を防ぐためのトラバースホルダの共振防止機構を備えるディスク装置を提供することを目的とする。
【課題を解決するための手段】
【０００８】
請求項１に係るトラバースホルダの共振防止機構を備えるディスク装置は、ディスクを再生するためにディスクを載置するターンテーブルと、該ターンテーブルに載置されるディスクを回転させるモータと、前記ディスクの読込・記録を行うピックアップレンズとからなるトラバースユニットと、
前記トラバースユニットを保持し、少なくとも１つ以上のボスを有するトラバースホルダと、
前記ボスを挿通し摺動させるための挿通孔を有する、前記トラバースホルダを上下に昇降させるためのスライドカムと、
ディスクを所定の位置に搬入出させるためのディスクトレイと、
前記ターンテーブルに載置されたディスクを固定するためのクランパと、
前記クランパを支持する支持板を有し、ディスク装置の外形を形成するフレームと、
からなるディスク装置であって、
前記トラバースホルダに第１の突起部を形成し、前記スライドカムに第２の突起部を形成し、ディスクが前記ターンテーブルに載置され、前記クランパにより挟持させるために前記トラバースホルダを上昇させた際の前記トラバースホルダ及び前記スライドカムの位置において、前記第１の突起部と前記第２の突起部は、お互いが当接するよう位置決めされたことを特徴とする。
【０００９】
請求項１の構成によれば、ターンテーブルやピックアップ部を有するトラバースホルダを保持するためのトラバースホルダと、トラバースホルダを上下動させるためのスライドカムに、それぞれ突起部を形成し、クランパとターンテーブルによりディスクをキャッチングした際、トラバースホルダとスライドカムのそれぞれに形成した突起部が当接することで、トラバースホルダとスライドカムに生じる間隙を埋めることができる。
【００１０】
請求項２に係るトラバースホルダの共振防止機構を備えるディスク装置は、請求項１記載のトラバースホルダの共振防止機構を備えるディスク装置において、前記第１の突起部は、前記ボスの中心から前記ボスの半径の１．５倍の範囲内に形成されることを特徴とする。
【００１１】
請求項２の構成によれば、トラバースホルダにより保持されるピックアップ等の駆動源により生じる振動及び騒音を、効果的に抑制することができる。
【００１２】
請求項３に係るトラバースホルダの共振防止機構を備えるディスク装置は、２つのボスが形成されるトラバースホルダに対して、より効果的に振動及び騒音を抑制することができる。
【発明の効果】
【００１３】
請求項１に係るトラバースホルダの共振防止機構を備えるディスク装置は、ディスクを再生するためにディスクを載置するターンテーブルと、該ターンテーブルに載置されるディスクを回転させるモータと、前記ディスクの読込・記録を行うピックアップレンズとからなるトラバースユニットと、
前記トラバースユニットを保持し、少なくとも１つ以上のボスを有するトラバースホルダと、
前記ボスを挿通し摺動させるための挿通孔を有する、前記トラバースホルダを上下に昇降させるためのスライドカムと、
ディスクを所定の位置に搬入出させるためのディスクトレイと、
前記ターンテーブルに載置されたディスクを固定するためのクランパと、
前記クランパを支持する支持板を有し、ディスク装置の外形を形成するフレームと、
からなるディスク装置であって、
前記トラバースホルダに第１の突起部を形成し、前記スライドカムに第２の突起部を形成し、ディスクが前記ターンテーブルに載置され、前記クランパにより挟持させるために前記トラバースホルダを上昇させた際の前記トラバースホルダ及び前記スライドカムの位置において、前記第１の突起部と前記第２の突起部は、お互いが当接するよう位置決めされたので、ディスクを読み込み位置に配置するため、トラバースホルダが上昇したディスク読込位置において、第１の突起部と第２の突起部が当接することで、トラバースホルダとスライドカムの間に形成される間隙を埋めることができ、この間隙によるガタ付きを防止し、振動及び騒音の抑制を行うことができる。
【００１４】
請求項２に係るトラバースホルダの共振防止機構を備えるディスク装置は、請求項１記載のトラバースホルダの共振防止機構を備えるディスク装置において、前記第１の突起部は、前記ボスの中心から前記ボスの半径の１．５倍の範囲内に形成されるので、ラバースホルダ及びスライドカムの間隙を２つの突起部が当接することで埋めることで、トラバースホルダに設置されるモータ等の駆動源による振動が原因となるスライドカムの干渉を防止することができる。
【００１５】
請求項３に係るトラバースホルダの共振防止機構を備えるディスク装置は、請求項１記載のトラバースホルダの共振防止機構を備えるディスク装置において、前記ボスが２つ形成される前記トラバースホルダを有する前記ディスク装置であって、前記第１の突起部は、前記ボスの直径の２倍の幅を有し、更に前記ボスの中心から前記ボスの直径と等しい距離分外側に離間する点を通り、且つ前記ボスの中心を通る中心線を有する長方形の範囲内に形成されるので、トラバースホルダ及びスライドカムの間隙を２つの突起部が当接することで埋めることで、トラバースホルダに設置されるモータ等の駆動源による振動が原因となるスライドカムの干渉を防止することができる。
【発明を実施するための最良の形態】
【００１６】
以下、本発明を実施するための最良の形態としての実施例を図１から図１１を参照して説明する。もちろん、本発明は、その発明の趣旨に反さない範囲で、実施例において説明した以外のものに対しても容易に適用可能なことは説明を要するまでもない。
【００１７】
図１〜図６は、本発明の一実施例を示し、図１は、本発明の実施例におけるディスク装置を示す斜視図である。図２は、ディスクトレイ、クランパ及びクランパ支持板を取り除いたディスク装置を示す斜視図である。図３は、スライドカムがトラバースホルダに対してスライドし、第１及び第２の突起部が当接する動作を示す説明図である。図４は、トラバースホルダに形成する第１の突起部の形成位置の範囲を示す説明図である。図５は、トラバースホルダに形成される第１の突起部及びスライドカムに形成される第２の突起部の形成例を示す説明図である。図６は、図５に示すトラバースホルダ及びスライドカムの動作を示す説明図である。図７〜図１１は、図５及び６に示す突起部と異なる形状例を示す説明図である。
【００１８】
ディスク装置の構成に付いて、図１及び２に基づいて説明する。１はディスク装置である。２は、後述のトラバースユニットを保持するためのトラバースホルダである。３はトラバースホルダ２を上下に昇降させるためのスライドカムである。４はトラバースユニットであり、ディスクに記憶されるデータの読み込みや、ディスクへのデータの書き込みを行うピックアップ部４１と、該ピックアップ部４１を駆動させるためのモータ４２と、ディスクを回転させるためのターンテーブル４３が、トラバースユニット４に搭載される。５は、ターンテーブル４３に載置されるディスクを挟持するクランパであり、スライドカム３によりトラバースホルダ２が上昇し、それに伴いターンテーブル４３とクランパ５が当接し、ディスクを挟持する。６はディスクをディスク装置１内部に搬入出するためのディスクトレイである。７はディスク装置の外形を形成するフレームであり、７１はクランパ５を支持する支持板である。
【００１９】
次にディスク回転時のトラバースホルダ２の共振防止構造について、図３に基づいて説明する。２１は略円筒状のボスであり、３１はカム溝である。ボス２１を挿通させ、スライドカム３を左右にスライドさせることにより、ボス２１がカム溝３１に沿って上下に移動し、トラバースホルダ２の昇降を行う。この昇降動作のトラバースホルダが最も高い位置となるディスクのキャッチング位置において、ディスク回転時にその回転動作によるトラバースホルダ２の共振を防止するための第１の突起部２ａを、ボス２１と一体的に形成する。
【００２０】
スライドカム２には第２の突起部３ａを形成する。第２の突起部３ａは、ディスクのキャッチング位置においてトラバースホルダ３に形成された第１の突起部２ａと当接するよう位置決めされる。
【００２１】
上記に示すトラバースホルダ２及びスライドカム２が動作する際の各突起部の状態を、図４に基づいて説明する。図４の（ａ）はディスクトレイ６に載置されたディスクを搬出した状態におけるトラバースホルダ２とスライドカム３を示している。この状態からスライドカム３が図において右方向へスライドすることにより、ボス２１はカム溝３１に沿って上方へ移動し、これによりトラバースホルダ２が上昇する。上昇した位置、即ちディスクキャッチング位置となると、ボス２１はカム溝３１の端部に位置する。この位置において、第１の突起部２ａは第２の突起部３ａと当接し、図３（ｂ）のようにトラバースホルダ２とスライドカム３の間隙を埋め、この間隙によって生じていたトラバースホルダ２の振動を防止する。
【００２２】
以上のようなディスク装置１の構成によれば、トラバースホルダ２に形成した第１の突起部２ａとスライドカム２に形成した第２の突起部３ａをディスクキャッチング位置において当接させたことで、ディスクトレイ６により搬入されたディスクをクランパ５及びターンテーブル４３により挟持し再生若しくは書込みのために回転させる際、モータ４２の駆動によりトラバースユニット４を介してトラバースホルダ２に生じるディスクの搬入出方向の振動を防止することができ、ピックアップ部４１から射出されるレーザの光軸がズレを防止することができる。
【００２３】
第１の突起部２ａはボス２１と一体に形成するとして説明したが、ボス２１の直径をｄとすると、図５に示すようにボス２１の中心から１．５ｄの範囲内（図中のＡ）に形成したとしても、同様の共振防止効果を得ることができる。また、ボス２１が２つある場合は、各々のボス２１の中心を結んだ線を中心線とし、該当中心線及びボスの中心から距離ｄの範囲内（図中のＢ）に第１の突起部２ａを形成しても良い。
【００２４】
以上、本発明の実施例について詳述したが、本発明は前記実施例に限定されるものではなく、本発明の要旨の範囲内で種々の変形実施が可能である。例えば、第１の突起部２ａ及び第２の突起部３ａは図５に示すような範囲内であれば、トラバースホルダ２の何れの場所に形成したとしても何ら問題はない。また、第１の突起部及び第２の突起部の形状は、図３及び図４に示すような位置及び形状に限定するものではなく、図６〜図９に示すように略直方体状に形成しても、図１０〜図１１に示すようにボス２１の周囲に略半円状に形成しても良い。
【図面の簡単な説明】
【００２５】
【図１】本発明の実施例における、ディスク装置を示す斜視図である。
【図２】同上、ディスクトレイ、クランパ及びクランパ支持板を取り除いたディスク装置を示す斜視図である。
【図３】同上、（ａ）はスライドカムを、（ｂ）はトラバースホルダを示す正面図である。
【図４】同上、トラバースホルダの昇降動作を示す、（ａ）は下降後を示す平面図であり、（ｂ）は下降後を示す正面図であり、（ｃ）は上昇後を示す平面図であり、（ｄ）は正面図である。
【図５】同上、トラバースホルダのボス周辺における第１の突起部の形成可能範囲を示す正面図である。
【図６】同上、図３・図４に示す形状とは異なる第１の突起部の一例を示すトラバースホルダ及びスライドカムの正面図である。
【図７】同上、図６に示すトラバースホルダの昇降動作を示す、（ａ）は下降後を示す平面図であり、（ｂ）は下降後を示す正面図であり、（ｃ）は上昇後を示す平面図であり、（ｄ）は正面図である。
【図８】同上、第１の突起部の一例を示すトラバースホルダ及びスライドカムの正面図である。
【図９】同上、図６に示すトラバースホルダの昇降動作を示す、（ａ）は下降後を示す平面図であり、（ｂ）は下降後を示す正面図であり、（ｃ）は上昇後を示す平面図であり、（ｄ）は正面図である。
【図１０】同上、第１の突起部の一例を示すトラバースホルダ及びスライドカムの正面図である。
【図１１】同上、図６に示すトラバースホルダの昇降動作を示す、（ａ）は下降後を示す平面図であり、（ｂ）は下降後を示す正面図であり、（ｃ）は上昇後を示す平面図であり、（ｄ）は正面図である。
【図１２】従来から用いられるディスク装置のトラバースホルダ及びスライドカムの構造を示す正面図である。
【符号の説明】
【００２６】
１    ディスク装置
２    トラバースホルダ
２１  ボス
２ａ  第１の突起部
３    スライドカム
３１  カム溝
３ａ  第２の突起部
４    トラバースユニット
４１  ピックアップ部
４２  モータ
４３  ターンテーブル
５    クランパ
６    ディスクトレイ
７    フレーム
【図１】
2008112548.tif 000003
【図２】
2008112548.tif 000004
【図３】
2008112548.tif 000005
【図４】
2008112548.tif 000006
【図５】
2008112548.tif 000007
【図６】
2008112548.tif 000008
【図７】
2008112548.tif 000009
【図８】
2008112548.tif 000010
【図９】
2008112548.tif 000011
【図１０】
2008112548.tif 000012
【図１１】
2008112548.tif 000013
【図１２】
2008112548.tif 000014